(57)【特許請求の範囲】
【請求項１】
被処理水に気泡を接触させて被処理水から懸濁物を浮上分離する接触槽と、前記接触槽内に上方に開口した開口部が配置され浮上分離した懸濁物を捕集する回収器とを有し、前記気泡を含む被処理水を前記接触槽の水位より下方から前記接触槽に圧送し、前記懸濁物を回収する際に前記接触槽の水位を上昇させて前記懸濁物を前記回収器に捕集するようにした液体処理装置において、
前記接触槽は気密構造であり、前記接触槽の水面よりも高い位置に設けたタンクと、前記懸濁物を浮上分離した処理水を前記接触槽から取り出す配水流路から分岐し前記タンクに処理水を移送する揚水流路と、前記タンクからの処理水を前記接触槽内に散水若しくは噴射して前記懸濁物が前記回収器の開口部に向かう流れを作るようにした散水器または噴射ノズルとを有し、
前記被処理水を前記接触槽に供給する流路と前記揚水流路以外は前記接触槽内と外部との連通を遮断して、前記接触槽内に前記被処理水を供給することにより、前記接触槽内を加圧して前記処理水が前記揚水流路を介して前記タンクに移送されるようにしたことを特徴とする液体処理装置。
【請求項２】
請求項１において、前記配水流路より下方に設けた処理水タンクと、前記配水流路から分岐して前記処理水の一部を前記処理水タンクに抽水する抽水流路と、前記接触槽の気相部と前記処理水タンクとを連通する加圧流路とを有し、前記揚水流路に替えて、前記接触槽の水面よりも高い位置に設けたタンクに前記処理水タンクから前記処理水を移送する揚水流路を備え、
前記被処理水を前記接触槽に供給する流路と前記加圧流路以外は前記接触槽内と外部との連通を遮断して、更に、前記加圧流路と前記揚水流路以外は前記処理水タンク内と外部との連通を遮断して、前記接触槽内に前記被処理水を供給することにより、前記接触槽内を加圧してさらに前記処理水タンク内を加圧し、前記処理水が前記処理水タンクから前記揚水流路を介して前記接触槽の水面よりも高い位置に設けたタンクに移送されるようにしたことを特徴とする液体処理装置。
【請求項３】
気密構造を有する接触槽と、前記接触槽の水位より下方に被処理水を圧送する供給手段と、前記供給手段で圧送する被処理水中に原料ガスのマイクロバブルを生成するマイクロバブル生成装置と、前記接触槽内に上方に開口した開口部が配置され前記接触槽に供給された被処理水に同伴するマイクロバブルによって浮上分離した懸濁物を捕集する回収器と、前記回収器から懸濁物を排出する排出流路と、前記排出流路に設けられた開閉弁Ａと、前記接触槽から処理水を配水する配水流路と、前記配水流路に設けられた開閉弁Ｂと、前記接触槽の水面より高所に設けられた洗浄水タンクと、前記回収器の開口部より上方に設置された散水口を有し前記散水口からの散水によって前記懸濁物が前記回収器に向かう流れが誘起されるようにした液体ヘッダーと、前記液体ヘッダーと前記洗浄水タンクを連通する洗浄水流路と、前記洗浄水流路に設けられた開閉弁Ｃと、前記開閉弁Ｂより上流部の前記配水流路と前記洗浄水タンクを連通する揚水流路と、前記接触槽内の気相部と外部とを連通するガス流路と、前記ガス流路に設けられた開閉弁Ｄとを有することを特徴とする液体処理装置。
【請求項４】
気密構造を有する接触槽と、前記接触槽の水位より下方に被処理水を圧送する供給手段と、前記供給手段で圧送する被処理水中に原料ガスのマイクロバブルを生成するマイクロバブル生成装置と、前記接触槽内に上方に開口した開口部が配置され前記接触槽に供給された被処理水に同伴するマイクロバブルによって浮上分離した懸濁物を捕集する回収器と、前記回収器から懸濁物を排出する排出流路と、前記排出流路に設けられた開閉弁Ａと、前記接触槽から処理水を配水する配水流路と、前記配水流路に設けられた開閉弁Ｂと、前記接触槽の水面より高所に設けられた洗浄水タンクと、前記配水流路より下方に設けた処理水タンクと、前記開閉弁Ｂより下流の前記配水流路と前記処理水タンクを連通する抽水流路と、前記抽水流路に設けられた開閉弁Ｆと、前記処理水タンクと前記洗浄水タンクを連通する揚水流路と、前記接触槽内の気相部と前記処理水タンクの気相部を連通する加圧流路と、前記加圧流路に設けられた開閉弁Ｅと、前記回収器の開口部より上方に設置された散水口を有し前記散水口からの散水によって前記懸濁物が前記回収器に向かう流れが誘起されるようにした液体ヘッダーと、前記液体ヘッダーと前記洗浄水タンクを連通する洗浄水流路と、前記洗浄水流路に設けられた開閉弁Ｃと、前記接触槽内の気相部と外部とを連通するガス流路と、前記ガス流路に設けられた開閉弁Ｄとを有することを特徴とする液体処理装置。
【請求項５】
請求項３または４に記載の液体処理装置において、前記ガス流路に排ガス処理装置を設け、前記開閉弁Ｄを介して前記接触槽内と前記排ガス処理装置を連通したことを特徴とする液体処理装置。
【請求項６】
請求項３または４に記載の液体処理装置において、前記各開閉弁の開閉を制御する制御装置を有することを特徴とする液体処理装置。
【請求項７】
請求項３または４に記載の液体処理装置において、前記回収器の開口部高さより下方の前記接触槽の壁面に、水平より負の角度を有する整流板を設けたことを特徴とする液体処理装置。
【請求項８】
請求項３または４に記載の液体処理装置において、前記液体ヘッダーに替えて、前記処理水を前記接触槽内に噴射して前記懸濁物が前記回収器の開口部に向かう流れを作るようにした噴射ノズルを備え、前記噴射ノズルは、前記接触槽内の前記回収器の開口部高さ近傍の壁面に設置され、前記開閉弁Ｃを介して前記洗浄水流路に連通することを特徴とする液体処理装置。
【請求項９】
請求項３または４に記載の液体処理装置において、前記接触槽内の水面に光を照射する光源及び前記水面からの反射光を検出する光検出装置を、前記接触槽の気相空間に面する壁面に設け、前記反射光によって前記接触槽水面の懸濁物の存在を検出するようにしたことを特徴とする液体処理装置。
【請求項１０】
請求項３または４に記載の液体処理装置において、前記接触槽内の水中に設けた光源と、前記接触槽の気相空間に面する壁面に設けられ前記光源からの透過光を検出する光検出装置を有し、前記透過光によって前記接触槽水面の懸濁物の存在を検出するようにしたことを特徴とする液体処理装置。
【請求項１１】
請求項３または４に記載の液体処理装置において、前記接触槽の水面を撮影する撮影装置を設け、前記撮影装置で撮影された撮影画像によって前記接触槽水面の懸濁物の存在を検出するようにしたことを特徴とする液体処理装置。
【請求項１２】
請求項３に記載の液体処理装置を用いた液体処理方法であって、
通常運転モードと懸濁物除去モードを有し、
前記通常運転モードでは、前記開閉弁Ａと前記開閉弁Ｃを閉じ、前記開閉弁Ｂと前記開閉弁Ｄを開いて、前記接触槽内の被処理水に前記マイクロバブルを反応させるとともに懸濁物を吸着して被処理水水面に浮上分離し、
前記懸濁物除去モードは、第１工程と第２工程を有し、第１工程では、前記開閉弁Ｂと前記開閉弁Ｄを閉じて前記揚水流路以外の前記接触槽に連通する流路を閉じ、前記被処理水の圧力で前記洗浄水タンクに前記処理水の一部を揚水して貯水し、第２工程では、前記開閉弁Ａと前記開閉弁Ｄを開いて前記被処理水の前記接触槽への流入によって前記接触槽内の水位を上昇させて浮上分離した懸濁物を前記回収器の開口部から前記接触槽外に排出するとともに、前記開閉弁Ｃを開いて前記液体ヘッダーからの散水し、
浮上分離した懸濁物の排出後に前記開閉弁Ｂを開き、前記開閉弁Ａと前記開閉弁Ｃを閉じて前記通常運転モードに復帰することを特徴とする液体処理方法。
【請求項１３】
請求項４に記載の液体処理装置を用いた液体処理方法であって、
通常運転モードと懸濁物除去モードを有し、
前記通常運転モードでは、前記開閉弁Ａと前記開閉弁Ｃを閉状態、及び、前記開閉弁Ｂと前記開閉弁Ｄと前記開閉弁Ｆを開状態とし、前記接触槽内の被処理水に前記マイクロバブルに反応させ懸濁物を吸着して被処理水水面に浮上分離するとともに、前記配水流路を流れる処理水の一部を、前記抽水流路を通して前記処理水タンクに貯水し、貯水完了後に前記開閉弁Ｆを閉じ、
前記懸濁物除去モードでは、第１工程で前記開閉弁Ｂと開閉弁Ｄを閉じて前記加圧流路を除く前記接触槽に連通する流路を閉じ、前記被処理水の圧力で前記接触槽上部空間の気相を加圧して前記加圧流路を介して前記処理水タンクに送気することにより前記洗浄水タンクに前記処理水タンクの水を揚水して貯水し、第２工程で前記開閉弁Ａと前記開閉弁Ｄを開いて前記被処理水の前記接触槽への流入によって前記接触槽の水位を上場させて浮上分離した懸濁物を前記回収器の開口部から前記接触槽外に排出するとともに、前記開閉弁Ｃを開いて前記液体ヘッダーからの散水し、
浮上分離した懸濁物の排出後に前記開閉弁Ｂと前記開閉弁Ｆを開き、前記開閉弁Ａと前記開閉弁Ｃを閉じて前記通常運転モードに復帰することを特徴とする液体処理方法。
【請求項１４】
請求項５に記載の液体処理装置において、
前記液体処理装置は、生物反応槽と、前記生物反応槽の処理水を処理する逆浸透膜処理装置とを有する下排水処理設備であり、
前記被処理水は前記逆浸透膜処理装置で除去された被分離物質を含む濃縮水であり、前記逆浸透膜処理装置と前記接触槽を連通する濃縮水流路を有し、
前記供給手段の駆動源として、前記生物反応槽の処理水を加圧して前記逆浸透膜処理装置に送水するポンプを用い、
前記マイクロバブル生成装置は、前記濃縮水流路に設けられ、前記原料ガスであるオゾンガスを混合するガス混合器と、前記オゾンガスが混合した濃縮水を導入して濃縮水にオゾンを溶解する溶解水槽と、前記溶解水槽から出た濃縮水を減圧発泡させてオゾンマイクロバブルを生成するノズルとから構成され、前記ノズルは前記接触槽の運転水位より下方を接続されていることを特徴とする液体処理装置。 
【請求項１５】
請求項１４に記載の液体処理装置において、
前記生物反応槽から引き抜いた余剰汚泥を前記接触槽の運転水位より下方に供給する余剰汚泥注入流路を設けたことを特徴とする液体処理装置。
【発明の詳細な説明】
【技術分野】
【０００１】
本発明は、液体処理装置及び液体処理方法に係り、特に、懸濁物の除去に好適な液体処理装置及び液体処理方法に関する。
【背景技術】
【０００２】
膜分離活性汚泥法（ＭＢＲ）と逆浸透（ＲＯ）膜ろ過を組合せた下排水膜処理設備では、ＲＯ膜を透過しないＭＢＲ処理水、即ち、ＲＯ膜処理の濃縮水は、有機物などの被分離被分解物質が濃縮された濃縮水として排水される。ＲＯ膜処理の濃縮水は有機物濃度やリン，窒素濃度が高いため、例えば非特許文献１に示されるように、環境を保全するため排水処理施設を経由して排水される。この濃縮水処理では、有機物の分解除去が必要とされるが、その分解除去法として、例えば非特許文献２に示すオゾン酸化と活性炭吸着を組み合わせる処理法が知られている。
【０００３】
一方、ＭＢＲでは下排水の最初沈殿池流出水を処理する際に、活性汚泥の生物膜において余剰汚泥が発生する。余剰汚泥は、その増加にともなって一部を引き抜いて埋め立てや焼却処分するが、汚泥処理コストが過大となる課題がある。余剰汚泥は、低分子化（可溶化）しＭＢＲ反応槽に戻して生物処理に用いることによって減容できることが知られている。可溶化の方法としては、例えば非特許文献３に示すようにオゾン酸化法がある。
【０００４】
そこで、ＲＯ膜で分離される濃縮水の圧力を利用してオゾンを溶解し、ノズルで減圧発泡させて直径が約５０μｍ前後オゾンマイクロバブルを生成し、このオゾンマイクロバブルを含む濃縮水を反応槽に導入して酸化分解処理を行う膜処理設備が特許文献１に開示されている。この膜処理設備では、ＭＢＲ反応槽から引き抜いた余剰汚泥を反応槽に投入し、その有機物成分の一部を可溶化するとともに、可溶化しなかった汚泥の固形成分（濁質成分）を浮上分離させて除去する技術が用いられている。反応槽内の水位を上げることによって、オゾンマイクロバブルを含む濃縮水が可溶化しなかった固形成分を巻き込んで、水面近傍のホッパーからに排水される。また、可溶化された余剰汚泥は再びＭＢＲ反応槽に戻されて生物処理される。
【０００５】
また、特許文献２に示されるように、処理水槽の水面近傍にスカム回収器（ホッパー）を設け、被処理水の水処理運転中にスカムが水面に蓄積した場合、弁操作で水位を上昇させて、懸濁物を一部の被処理水とともにスカム回収器に取り入れて排出する方式がある。この特許文献２では被処理水を供給する流路を処理水槽の上部に設置し、被処理水を壁面に沿わせて供給することにより、壁面に付着したスカムを洗浄する例が示されている（図４）。
【０００６】
また、特許文献３に示されるように、懸濁物質を浮上分離する装置として、掻き寄せ機構（スキマー）で浮上分離槽の水面上に浮上した懸濁物質を掻き寄せて排出口から排出するものがある。
【先行技術文献】
【特許文献】
【０００７】
【特許文献１】特開２０１１−７２９３９号公報
【特許文献２】特開２００９−３４５５８号公報
【特許文献３】特開平９−２３４４５８号公報
【非特許文献】
【０００８】
【非特許文献１】「膜を利用した新しい水処理」，株式会社エヌ・ティー・エス，３０３−３１６頁，２０００年
【非特許文献２】吉澤政宏, 他，「琵琶湖流域下水道における超高度処理実証調査について（第４報）」，第４５回下水道研究発表会講演集，７４３−７４５頁，２００８年
【非特許文献３】安井英斉, 他，「余剰汚泥を生成しない活性汚泥法の運転例, 環境技術」，ＶＯＬ．２８，Ｎｏ．８，５２７−５３１頁，１９９９年
【発明の概要】
【発明が解決しようとする課題】
【０００９】
非特許文献１では、放流先の水質基準に対応して濃縮水中の有機物を分解除去する設備が必要である。その方法の一つとして、非特許文献２に開示されたオゾンと活性炭による処理では、オゾン発生のための電力と活性炭の消耗にともなう維持管理のコストが増加する。また、濃縮水の処理水を再生水として利用する場合、濃縮水に対する有効利用可能な処理水の比である回収率を高める必要がある。
【００１０】
下排水処理では余剰汚泥を濃縮，脱水，乾燥処理する必要があるが、余剰汚泥の含水率が高いと処理コストが増加する。非特許文献３に記したオゾンによる可溶化処理は余剰汚泥を減容できる効果があるが、余剰汚泥の含水率低減については考慮されていない。
【００１１】
特許文献１は、濃縮水処理や余剰汚泥処理を目的として、濃縮水にオゾンガスを混合しマイクロバブルを生成して、反応槽でオゾン酸化と懸濁物の浮上分離を行う処理方式である。反応槽水位のコントロールでホッパーに懸濁物を流入させている。しかし、本発明者らの検討によると、汚泥由来懸濁物のホッパーへの回収の駆動力が図３（ａ）に示すようにホッパー近傍の流れのせん断力のみであるため弱く、壁面近傍によどみ域（図中の領域Ａ）が生じて、懸濁物全量の回収に多量の処理水と長時間を要することが分かった。このため、ホッパーで回収した懸濁物の含水率が高く、且つ処理水の回収率が低下する可能性がある。
【００１２】
特許文献２（図４）は、処理水槽壁面の洗浄目的で被処理水を壁面に流下させるものである。この特許文献２においては、懸濁物を浮上分離させるため構成が明示されていないが、被処理水中にオゾンマイクロバブルを生成し被処理水として供給することは想定されないものである。即ち、壁面への衝突，飛散でオゾンが気相中に移行してオゾン利用効率が低下するからである。また、マイクロバブルの上昇過程で懸濁物を接触付着させるためには、オゾンマイクロバブルを生成した被処理水を処理水槽の水面下、好ましくは処理水槽下部に流入させる必要があり、壁面に衝突させると懸濁物の浮上分離効果が得られないからである。なお、壁面の洗浄に外部の水源あるいは処理水槽から流出する処理水を用いる方法が考えられるが、このためには水源と散水の水頭を得るための動的なポンプ等の機器やループが必要である。
【００１３】
特許文献３では、掻き寄せ機構（スキマー）とその駆動機構を構成する機械装置の設置やその維持管理が課題となる。
【００１４】
本発明は、液体ポンプ等の大きな動力を要する機器や掻き寄せ機構等の動的な機械装置を設けることなく懸濁物を効率的に回収することが可能な液体処理装置および液体処理方法を提供することを目的とする。
【課題を解決するための手段】
【００１５】
前記目的を達成するため、本発明は、被処理水に気泡を接触させて被処理水から懸濁物を浮上分離する接触槽と、接触槽内に上方に開口した開口部が配置され浮上分離した懸濁物を捕集する回収器を有し、懸濁物を浮上分離させるため気泡を含む被処理水を接触槽の水位より下方から接触槽に圧送し、また、接触槽の水位を上昇させて懸濁物を回収器に捕集するようにした液体処理装置及び液体処理方法において、懸濁物を浮上分離して処理水を接触槽から配水流路に取り出す際には、接触槽内を大気開放して浮上分離を行い、懸濁物を回収器で捕集する際には、接触槽の水面よりも高い位置に設けたタンクと連通する流路と被処理水を供給する流路以外は接触槽内と外部との連通を遮断し、接触槽内に被処理水を供給することにより、接触槽内を加圧して処理水がタンクに移送されるようにするとともに、その後、接触槽を大気開放してタンクに貯水された処理水を散水若しくは噴射して懸濁物が回収器の開口部に向かう流れを作るようにしたものである。
【００１６】
また、懸濁物を回収器で捕集する際に、接触槽の水面よりも高い位置に設けたタンクへの処理水の移送を、上記構成に替えて、一旦、配水流路よりも低い位置に設けたタンク（低位置タンク）に貯水した後に、この低位置タンク内の気相部を加圧して低位置タンクから行うようにしても良い。
【発明の効果】
【００１８】
本発明によれば、浮上分離した懸濁物を回収器に捕集する際に、処理水を散水若しくは噴射することにより懸濁物が回収器に向かう流れを作るようにしているので、掻き寄せ機構等の動的な機械装置を設けることなく懸濁物を効率的に回収することができる。そして、散水若しくは噴射に用いる処理水が接触槽の水位よりも高い位置に設けたタンクから供給されるようにし、そして、このタンクへの処理水の移送が、接触槽内を加圧できる状態にして、被処理水を接触槽の下方に圧送する際の圧力を利用して行われるので、液体ポンプ等の大きな動力を要する機器を設ける必要がない。この結果、懸濁物を効率的に低コストで回収することが可能となる。
【００１９】
また、高位置タンクへの処理水の移送を、一旦、低位置タンクに貯水してこの低位置タンクから行うようにした場合においても、移送のための動力（気相部を加圧する動力）として、被処理水を接触槽の下方に圧送する際の圧力を利用することができ、また、圧縮機を用いる場合でも液体ポンプを用いて揚水する場合と比べて設備コスト及び運転コストが小さくて済むので、懸濁物を効率的に低コストで回収することが可能となる。
【００２０】
また、送風機によって懸濁物が回収器の開口部に向かう流れを作るようした場合においいても、液体ポンプを用いて揚水する場合と比べて設備コスト及び運転コストが小さくて済むので、懸濁物を効率的に低コストで回収することが可能となる。
【図面の簡単な説明】
【００２１】
【図１】第１の実施形態に係る液体処理装置を設けた膜処理装置の構成を示す図である。
【図２（ａ）】第１の実施形態に係るオゾンマイクロバブルを注入する接触槽の構造を示す横断面図であり、図２（ｂ）のＢ-Ｂ’断面図である。
【図２（ｂ）】第１の実施形態に係るオゾンマイクロバブルを注入する接触槽の構造を示す縦断面図であり、図２（ａ）のＡ-Ａ’断面図である。
【図３（ａ）】比較例における懸濁物の排出に対する接触槽内の液相の流れを示す縦断面図である。
【図３（ｂ）】第１の実施形態に係る懸濁物の排出に対する接触槽内の構造と液相の流れを示す縦断面図である。
【図４】第１の実施形態に係る接触槽に懸濁物の量を計測する手段を設けた構造を示す縦断面図である。
【図５】第１の実施形態に係る接触槽内の回収器の設置高さを低くした構造を示す縦断面図である。
【図６】第２の実施形態に係る接触槽内の構造と液相の流れを示す縦断面図である。
【図７】第３の実施形態に係る接触槽内の構造と液相の流れを示す縦断面図である。
【図８】参考例に係る接触槽内の構造と液相の流れを示す縦断面図である。
【図９】第４の実施形態に係る液体処理装置を設けた膜処理装置の構成を示す図である。
【発明を実施するための形態】
【００２２】
≪第1の実施形態≫
以下、本発明の第１の実施形態について、適宜図を参照して詳細に説明する。
【００２３】
第１の実施形態は、例えば下水や産業排水をオゾンガスで再生処理する下排水処理装置に本発明を適用したものであり、膜分離活性汚泥法（ＭＢＲ）を典型とする生物反応槽で下水や産業排水を処理し、さらに逆浸透（ＲＯ）膜で高水質の再生水を生成する膜処理設備に関するものである。
【００２４】
本実施形態では、被処理水はＲＯ膜処理で除去された被分離物質を含む濃縮水（ＲＯ濃縮水）である。また、被処理水に生成する気泡はオゾンマイクロバルブである。即ち、気泡を生成する原料ガス（元ガス）としてオゾンが用いられる。また、ＲＯ濃縮水の残留圧力を利用してオゾンマイクロバブルが生成される。オゾンマイクロバルブによって濃縮水中の被分離物質とＭＢＲから接触槽に供給された余剰汚泥が酸化分解処理され、酸化分解処理後に残る懸濁物が浮上分離される。ＲＯ濃縮水はＲＯ膜処理による残留圧力を利用して接触槽に圧送されるようになっている。
【００２５】
本実施形態の基本構成は、生物反応槽と、生物反応槽の処理水を加圧してＲＯ膜処理装置に送水するポンプと、ＲＯ膜処理装置でろ過された処理水が配水されるＲＯ膜処理水流路と、ＲＯ膜処理で除去された被分離物質を含む濃縮水が排水される濃縮水流路と、濃縮水流路にオゾンガスを混合するガス混合器と、オゾンガスが混合した濃縮水を導入して濃縮水にオゾンを溶解する溶解水槽、溶解水槽から出た濃縮水を減圧発泡させてオゾンマイクロバブルを生成するノズルと、気密状態を形成可能な構造を有し運転水位より下方においてノズルと連通しオゾンマイクロバブルを含む濃縮水が供給される接触槽と、接触槽内に供給された濃縮水に同伴するマイクロバブルによって浮上分離した懸濁物を捕集する回収器と、回収器から懸濁物を排出する排出流路と、排出流路に設けられた開閉弁Ａと、接触槽から処理水を配水する配水流路と、配水流路に設けられた開閉弁Ｂと、接触槽の液面より高所に設けられた洗浄液タンクと、接触槽内の回収器開口部より上方に設置された散水口を有する液体ヘッダー（散水器）と、開閉弁Ｃを介して液体ヘッダーと洗浄水タンクを連通する洗浄液流路と、配水流路の開閉弁Ｂより上流部と洗浄水タンクを連通する揚水流路と、排ガス処理装置と、開閉弁Ｄを介して接触槽内の気相部と排ガス処理装置を連通する排ガス処理流路と、開閉弁Ａ〜Ｄの開閉を制御する制御装置を設けたものである。
【００２６】
そして、本実施形態の処理方法は、通常運転モードと懸濁物除去モードの２種の運転モードを有し、通常運転モードでは開閉弁Ａと開閉弁Ｃを閉じ、開閉弁Ｂと開閉弁Ｄを開いて、接触槽内に供給した濃縮水にマイクロバブル生成装置で生成したオゾンマイクロバブルを反応させるとともに、懸濁物を吸着させて接触槽水面に浮上分離し、懸濁物の除去モードでは、第１工程で開閉弁Ｂと開閉弁Ｄを閉じて揚水流路を除く接触槽に連通する流路を閉じ、接触槽に圧送される濃縮水の圧力を利用して洗浄液タンクに処理水の一部を揚水して貯水し、第２工程で開閉弁Ａと開閉弁Ｄを開き、濃縮水の接触槽への流入によって水位を上昇させ、浮上分離した懸濁物を回収器開口部から接触槽外に排出するとともに、開閉弁Ｃを開いて洗浄水タンクから洗浄水を液体ヘッダーに供給し、液体ヘッダーからの接触槽壁面に散水して、浮上分離した懸濁物に接触槽壁面から回収器開口部に向かう流れを誘起し、回収器で懸濁物を回収して排出流路から排出し、浮上分離した懸濁物の排出後に開閉弁Ｂを開き、開閉弁Ａと開閉弁Ｃを閉じて通常運転モードに復帰するようにしたものである。
【００２７】
以下、図面を参照しながら本実施形態の膜処理設備の構成を詳細に説明する。
【００２８】
膜処理設備１００は、ＭＢＲで下水や産業排水を処理し、さらにＲＯ膜で高水質の再生水を生成する構成である。原水となる下水あるいは産業排水は、最初沈殿池２５に流入し、上澄み液がＭＢＲの生物膜反応槽３４に流入する。生物膜反応槽３４に設けられた精密ろ過膜３３で分離されたＭＢＲ処理水は、高圧ポンプ２で加圧されてＲＯ膜処理装置１に加圧供給される。ＲＯ膜を透過した処理水が再生水流路１８から再生水の利用用途に配水され、ＲＯ膜を透過せず有機物などの被分離被分解物質が濃縮された濃縮水がＲＯ膜処理装置１から濃縮水流路１１を通って排水される。濃縮水流路１１には、順にオゾン混合器３，エアベント８を有する溶解水槽４及びノズル６が接続され、ノズル６の下流は接触槽５に連通する。
【００２９】
濃縮水流路１１を流れる濃縮水は、オゾン混合器３においてオゾン発生装置７で発生したオゾンガスが混合される。オゾン混合器３は、好ましくはエゼクタ等の濃縮水の動圧を利用した気液接触方式を用いる。濃縮水に混合されたオゾンガスは、エアベント８を有する溶解水槽４内で濃縮水にオゾンガスが溶解する。このオゾンガスが溶解した濃縮水は、ノズル６での圧力損失に相当する圧力に加圧されており、溶解効率が高い。
【００３０】
接触槽５は、仕切板３６ａ，３６ｂで上下迂流構造に仕切られるとともに、気密構造をとり、後述の各流路に設けられた開閉弁の開閉を制御することにより接触槽内の気相を加圧できる状態にする。ノズル６で発生したマイクロバブル２９を含む濃縮水が、接触槽５に注入される。また、生物膜反応槽３４から引き抜かれた余剰汚泥が、余剰汚泥供給ポンプ３０と開閉弁３５（開閉弁Ｇ）を備えた余剰汚泥流路３１からノズル６の接続口より上方の接触槽５水中に供給される。同様に、エアベント８で分離された未溶解のオゾンガスも、ノズル６の接続口より上方の接触槽５水中に供給される。余剰汚泥は、濃縮水中のオゾンのマイクロバブル２９によって酸化処理されて生物処理が容易な可溶化状態になり、残った固形成分は懸濁物３２として、マイクロバブル２９の浮上分離効果によって接触槽の水面近傍に浮上する。懸濁物３２が浮上分離した後の処理水は、生物膜反応槽３４の返流水や放流水として配水流路９から配水される。
【００３１】
このような膜処理設備１００において、接触槽５水面上方空間に浮上分離した懸濁物を回収するため、上方に開口した開口部を有する回収器２３を設ける。開閉弁１４（開閉弁Ａ）を有し回収器２３の開口部から懸濁物を排出する排出流路１３によって回収器２３と接触槽５の外部を連通する。また、懸濁物の回収を効率的に行うため液体ヘッダー２４が設けられている。液体ヘッダー２４は、接触槽５の液面より高所に設けられた開放構造の洗浄液タンク１５の下部と、開閉弁１６（開閉弁Ｃ）を有する洗浄水流路１７で連通される。また。配水流路９に開閉弁１０（開閉弁Ｂ）が設けられ、配水流路９の開閉弁１０の上流側と洗浄水タンク１５の上部が揚水流路１９で連通される。接触槽５の上部空間に放出された未溶解のオゾンガスは、排オゾンとして開閉弁２１（開閉弁Ｄ）を有する排ガス回収流路２２を通り、オゾン分解触媒や活性炭処理を行う排ガス処理装置２０によって分解され大気中に放出される。この排ガス処理装置２０は気泡を生成する原料ガスとしてオゾンが用いられる場合は必要となるが、原料ガスが浮上分離を行うことを主目的とする液体処理装置において用いられる空気等の場合には必要がない。
【００３２】
次に、図１から図３（ｂ）を用いて、懸濁物の浮上分離と懸濁物の回収作用を説明する。膜処理設備１００の懸濁物除去運転を、余剰汚泥を含む濃縮水中の懸濁物を浮上分離する通常運転モードと、浮上分離した懸濁物を接触槽５から除去する懸濁物除去モード分ける。
【００３３】
通常運転モードでは、開閉弁１４と開閉弁１６を閉じ、開閉弁１０と開閉弁２１を開く。即ち、懸濁物の浮上分離は接触槽５を大気開放状態にして行われる。また、開閉弁３５が開いており、生物膜反応槽３４の余剰汚泥が、余剰汚泥供給ポンプ３０で接触槽５内の濃縮水に混合される。接触槽５内の濃縮水と余剰汚泥は、オゾンガスのマイクロバブル２９によって酸化処理され、濃縮水と余剰汚泥の有機物が分解される。特に、ＣＯＤ成分の有機物が分解され生物処理に適した有機物成分に変性する可溶化処理水は、返流水として生物膜反応槽３４に戻すことによって、難分解性のＣＯＤ成分の生物処理が可能になる。また、余剰汚泥に由来する懸濁物３２は、マイクロバブル２９の接触付着効果によって図１に示すように接触槽５の水面付近に浮上分離する。
【００３４】
懸濁物除去モードでは、第１工程として開閉弁１４と開閉弁１６に加えて、開閉弁１０と開閉弁２１を閉じて濃縮水流路１１と揚水流路１９を除く接触槽５に連通する流路を全て閉止する。開閉弁３５については、余剰汚泥が接触槽５に供給される際に圧力が掛かるため開閉状態は問わないが、余剰汚泥供給ポンプ３０を停止して開閉弁３５を閉じても良い（即ち、「濃縮水流路１１と揚水流路１９を除く接触槽５に連通する流路を全て閉止」とは接触槽と圧力（より正確には揚水流路１９内の水頭圧力よりも高い圧力）が掛かる状態で連通しているものは除外して「閉止」ということである。）。以上の弁の開閉操作によって、接触槽５内の気相を加圧できる状態にする。この状態において、ノズル６から注入される濃縮水の動圧によって接触槽５内の気相の圧力が高くなり、処理水が配水流路９から揚水流路１９を通り、洗浄水として洗浄水タンク１５に貯水される。接触槽５内の圧力は、揚水流路１９内の水頭圧力が掛かるため大気圧より高くなる。尚、図示しないが、本実施の形態では、ポンプの運転や各開閉弁の開閉を制御する制御器が設けられている。洗浄水タンク１５の水位を図示しないセンサで計測し、満水になった時点で各開閉弁を後述のように開閉制御し、運転を懸濁物除去モードの第２工程に切り替える。但し、ポンプの運転や開閉弁の開閉を手動で行うことも可能である。
【００３５】
第２工程では、第１工程の各弁の開閉状態から、開閉弁１４と開閉弁２１、及び開閉弁１６を開く。これによって、接触槽５内の圧力は大気圧まで低下するとともに、ノズル６から注入される濃縮水によって接触槽５内の水位が上昇して回収器２３の外周を超え、回収器２３からの懸濁物３２を含む濃縮水の接触槽５外への除去が始まる。一方、洗浄水タンク１５内の洗浄水が、図２（ａ）及び図２（ｂ）に示すように液体ヘッダー２４に開いた散水口４３から、接触槽５の壁面に衝突し流下する。壁面を流下した洗浄水の一部は、接触槽５壁面から懸濁物３２の外周部に流れる。
【００３６】
ホッパー（回収器）と水位上昇による従来の懸濁物除去では、図３（ａ）に示すように懸濁物３２が回収器２３に捕集される流体力学的駆動力が、懸濁物３２下面に作用する濃縮水の流れにともなうせん断力のみであったため、懸濁物がホッパーに回収される前に多量の濃縮水がホッパーに流れ込むことになり、そして、懸濁物３２の除去に長時間を要していた。このため懸濁物全量の回収に多量の処理水と長時間を要し、ホッパーで回収した懸濁物の含水率が高く、且つ処理水の回収率も低下することになる。
【００３７】
本実施形態では図３（ｂ）に示すように，接触槽５の壁面から懸濁物３２に向かう洗浄水の流れが生じるため、洗浄水による壁面から回収器２３への押し出しで、懸濁物３２の回収が促進され、懸濁物３２の除去時間が大幅に短縮される。
【００３８】
その結果、懸濁物３２を回収器２３から接触槽５外に除去する時間が短縮され、回収器２３から懸濁物３２に同伴して排出される水量が減少する。これによって、回収された懸濁物３２の含水率が減少し、回収した懸濁物３２が形成する余剰汚泥の濃縮，脱水，乾燥に要する動力や電力を低減できる。また、懸濁物３２に同伴して排出される水量の減少は、接触槽から配水される処理水の水量増加に繋がり、処理水を再生利用する場合の処理水回収率を増加できる。
【００３９】
回収器２３から接触槽５外への懸濁物３２の除去の後、通常運転モードに復帰するため、開閉弁１４と開閉弁１６を閉じ、開閉弁１０を開く。懸濁物除去モード第１工程で開閉弁３５を閉じ余剰汚泥供給ポンプ３０を停止した場合は、通常運転モードへの復帰時に開閉弁３５を開き、余剰汚泥供給ポンプ３０を起動する。
【００４０】
上記の通常運転モードの継続時間、懸濁物除去モードの起動間隔は、懸濁物３２の蓄積状態を予め測定してタイマーを用いて設定しても良く、リアルタイムで懸濁物３２の厚さを計測して起動判定の閾値を設定しても良い。また、処理水中の懸濁物３２の濃度を計測して起動判定の閾値を設定しても良い。懸濁物除去モードの第２工程の起動停止は、懸濁物３２の除去状態を予め観察してタイマーを用いて継続時間を設定しても良く、リアルタイムで水面上の懸濁物３２の量を計測して起動停止判定の閾値を設定しても良い。
【００４１】
図４は、懸濁物３２の量を計測する手段として、光源４５と光検出装置４６を用いた例である。接触槽５内の気相空間に面する壁面（天井面）から水面に向けて照射する光源４５を設け、接触槽５内の気相空間に面する壁面（天井面）から水面に向けて光検出装置４６を設け、光源４５の照射に対する反射方向と光検出装置４６の入射方向を一致させ、懸濁物３２表面の反射率を計測する。この方法では、接触槽５内で懸濁物３２が存在しない場合の水面の反射率を予め計測しておくことによって、懸濁物３２の除去を判定可能である。光検出装置４６を用いて接触槽水面の懸濁物の存在を検出することによって懸濁物除去モードを起動させ、懸濁物除去モード運転時に、光検出装置４６を用いて懸濁物の消失を確認することによって懸濁物除去モードから通常運転モードに移行させるようにする。また、他の懸濁物の計測方法として光検出装置４６を光源４５に正対させて透過率を計測しても良く、画像を撮影して水面の明度，カラーを基に判別しても良い。
【００４２】
図５は、図１の液体処理装置の接触槽５とその水面上に設けた回収器２３の配置に対して、通常運転モード時に回収器２３の外周が水没する高さに回収器２３を設置した例である。この例では、懸濁物３２の除去時に接触槽５内の水位を低くできるため、接触槽５の上部空間高さを低くできる効果がある。
【００４３】
本実施形態によれば、ＲＯ濃縮水の残留圧力を利用して生成したオゾンマイクロバブルによって、濃縮水の酸化処理，及び余剰汚泥の可溶化処理と懸濁物の浮上分離を行う液体処理装置において、処理水を散水することにより懸濁物が回収器に向かう流れを作るようにしているので、スカムスキマー等の動的な機械装置を設けることなく懸濁物を効率的に回収することができる。また、散水に用いる処理水が接触槽の水位よりも高い位置に設けた洗浄水タンクから供給されるようにし、そして、この洗浄水タンクへの処理水の移送が、接触槽内を加圧できる状態にして、濃縮水を接触槽に圧送する際の圧力を利用して行われるので、液体ポンプ等の大きな動力を要する機器を新たに設ける必要がない。この結果、液体ポンプやスカムスキマーのような付加的な装置やループを用いることなく、懸濁物の分離除去処理を促進し、分離除去した懸濁物の含水率を低減できるので、余剰汚泥の濃縮，脱水，乾燥に要する処理コストを低減できる。また、処理水の回収率を増加できるので、処理水を再生利用する場合に、再生水の処理コスト単価を低減できる。以上の効果によって、膜処理設備の経済性を向上できる。
【００４４】
≪第２の実施形態≫
図６を参照して、第２の実施形態について説明する。図６には膜処理設備１００における接触槽５の他の形態を示している。なお、図１と同じ構成要素には同じ符号を付し、詳細な説明は適宜省略する。
【００４５】
本実施形態では、接触槽５の回収器２３開口部外周高さより下方の接触槽５内壁面に、壁面から向かって水平より負の角度を有する整流板４４（４４ａ，４４ｂ）を設けている。整流板４４は、接触槽５内壁面の全周に設けても良いし、図２（ａ）に示す散水口４３の位置に対応する箇所毎に設けても良い。
【００４６】
液体ヘッダー２４の散水口４３から接触槽５の壁面に衝突し流下した洗浄水は、整流板４４に衝突することによって壁面に沿った流下成分の流れ方向が、接触槽５壁面から懸濁物３２の外周部に向く。これによって、第１の実施形態と比較して壁面に衝突し流下した洗浄水の大部分が、懸濁物３２の壁面から回収器２３への押し出しに利用されるため，懸濁物３２の回収がさらに促進され、懸濁物３２の除去時間が大幅に短縮される。
【００４７】
本実施形態によれば、基本的には、第１の実施形態と同様な効果が得られる。また、本実施形態では、第１の実施形態よりも懸濁物の分離除去性能を高め、分離除去した懸濁物の含水率をさらに低減できるので、余剰汚泥の濃縮，脱水，乾燥に要する処理コストをさらに低減できる。また、処理水の回収率を増加できるので、処理水を再生利用する場合に、再生水の処理コスト単価をさらに低減できる。以上の効果によって、膜処理設備の経済性を向上できる。
【００４８】
≪第３の実施形態≫
図７を参照して、第３の実施形態について説明する。図７には膜処理設備１００における接触槽５の他の形態を示している。なお、図１と同じ構成要素には同じ符号を付し、詳細な説明は適宜省略する。
【００４９】
本実施形態では、第１，第２の実施形態で用いた液体ヘッダー２４に代えて、接触槽内の回収器開口部高さ近傍の壁面に噴射ノズルを設置したものである。即ち、第１，第２の実施形態では壁面に散水することにより壁面の洗浄を兼ねていたが、本実施形態では壁面の洗浄は特に行わないで、別手段で懸濁物が回収器に向かう流れを作るようにしたものである。具体的には、接触槽５の壁面及び仕切板３６ｂに開閉弁４８（４８ａ，４８ｂ）（開閉弁Ｈ）を有する洗浄水流路４９（４９ａ，４９ｂ）を接続する。洗浄水流路４９は、回収器２３の外周高さ近傍に設け、その噴射ノズル４７（４７ａ，４７ｂ）を回収器２３に向ける。噴射ノズル４７は、好ましくは先端を絞り、洗浄水を懸濁物３２に水平面に噴射可能な形状とする（例えば、扁平で扇状に拡大するような形状。）。尚、洗浄水流路４９は図１における洗浄水タンク１５とつながっている。また、噴射ノズル４７は、図２（ａ）に示す散水口４３と同様な配置となっている。
【００５０】
懸濁物除去モードの第２工程において、第１工程の各弁の開閉状態から、開閉弁１４と開閉弁２１及び開閉弁４８を開く。接触槽５内の圧力は大気圧まで低下するとともに、ノズル６から注入される濃縮水によって接触槽５内の水位が上昇して回収器２３の外周を超え、回収器２３からの懸濁物３２を含む濃縮水の接触槽５外への除去が始まる。これと同時に洗浄水流路４９から回収器２３に向かって洗浄水が噴射され、洗浄水の動圧によって回収器３に向かう流れが形成され、また、懸濁物３２が回収器２３の開口部に押し出される。
【００５１】
本実施形態によれば、基本的には、第１の実施形態と同様な効果が得られる。また、本実施形態では、第１の実施形態において接触槽内に液体ヘッダーを設けることなく、配管の接続のみで懸濁物の分離除去処理を促進できる。これによって、膜処理設備の運転コストとともに設備コストを削減し経済性を向上できる。
【００５２】
≪参考例≫
懸濁物を回収器で捕集する際に、タンクに貯水された処理水を散水若しくは噴射することに替えて、送風機によって懸濁物が回収器の開口部に向かう流れを作るようしても良い。図１と図８を参照して、この参考例について説明する。図８には膜処理設備１００における接触槽５の他の形態を示している。なお、図８においては、図１と同じ構成要素には同じ符号を付し、詳細な説明は適宜省略する。
【００５３】
本参考例は、第１から第３の実施形態で用いた液体ヘッダーや洗浄水流路による洗浄水の散水や噴射に代えて、接触槽内の回収器開口部高さ近傍の壁面に設置されたガスノズルと、接触槽外に設けた送風機と、ガスノズルと送風機を連通するガス流路を設けたものである。洗浄水タンク１６等は設けられていないが、接触槽５の内壁面を洗浄することを主目的として設けても良い。
【００５４】
図８に示すように、回収器２３開口部外周高さより上方の接触槽５壁面及び仕切板３６ｂに、送風機５０（５０ａ，５０ｂ）を接続したガスノズル５１（５１ａ，５１ｂ）が設けられ、ガスノズル５１の噴射口は回収器２３に向けられている。噴射口は好ましくは先端を絞り、空気を懸濁物３２の外周部から回収器２３に水平より負の角度で噴射可能な形状とする。また、ガスノズル５１は、図２（ａ）に示す散水口４３と同様な配置となっている。配置数は散水口４３よりも少なくても多くても良い。
【００５５】
通常運転モードは第１の実施形態と基本的に同様である。懸濁物除去モードは、第１の実施形態における第２工程に対応する工程のみであり第１工程に対応するものはない。即ち、懸濁物除去時に開閉弁１４を開き、開閉弁１０を閉じる。これによって、接触槽５内の圧力は大気圧まで低下するとともに、ノズル６から注入される濃縮水によって接触槽５内の水位が上昇して回収器２３の外周を超え、回収器２３からの懸濁物３２を含む濃縮水の接触槽５外への除去が始まる。一方、送風機５０を起動し、接触槽５壁面及び仕切板３６ｂ近傍から懸濁物３２の上面に空気を噴射する。懸濁物３２下面に作用する濃縮水の流れにともなうせん断力に加えて、噴射された空気によって懸濁物３２表面に生じるせん断力で懸濁物３２の上下面から回収器２３の開口部方向への流れが生じ、懸濁物３２が回収器２３の外周を乗り越え、排出流路１３から接触槽５の外部に除去される。尚、本参考例でも第１の実施形態と同様に、制御器を設けてポンプと送風機の運転や各開閉弁の開閉を制御するようにしても良いし、手動でポンプと送風機の運転や開閉弁の開閉を行うようにしても良い。
【００５６】
本参考例によれば、基本的には、第１の実施形態と同様な効果が得られる。また、本参考例では、懸濁物３２の回収促進と除去時間の短縮に空気を用いるため、第１から第３の実施形態で処理水を洗浄タンク１５に揚水する懸濁物除去モード第１工程と洗浄タンク１５が不要である。また、送風機５０の設備コストとその運転コストが掛かるものの、水と比較して空気の密度が小さいため、洗浄水の揚水に対して送風機の設備コスト及び運転コストは小さい。即ち、低コストで懸濁物を効率的に除去できる。
なお、本参考例は次のように纏めることができる。
被処理水に気泡を接触させて被処理水から懸濁物を浮上分離する接触槽と、前記接触槽内に上方に開口した開口部が配置され浮上分離した懸濁物を捕集する回収器とを有し、前記気泡を含む被処理水を前記接触槽の水位より下方から前記接触槽に圧送し、前記懸濁物を回収する際に前記接触槽の水位を上昇させて前記懸濁物を前記回収器に捕集するようにした液体処理装置において、
前記懸濁物が前記回収器の開口部に向かう気流を与えるガスを前記接触槽内に噴射するガスノズルと、前記ガスノズルにガスを供給する送風機とを有する液体処理装置。
【００５７】
≪第４の実施形態≫
図９を参照して、第４の実施形態について説明する。図１と同じ構成要素には同じ符号を付し、詳細な説明は適宜省略する。本実施形態の膜処理設備１０１は、基本的には第１の実施形態と同様であり、配水流路９より下方に気密構造の処理水タンク３７を設け、処理水タンク３７を経由して接触槽５の液面より高所に設けられた開放構造の洗浄水タンク１５へ処理水を移送するようにしたことに特徴がある。
【００５８】
処理水タンク３７は抽水流路３８によって配水流路９に連通している。抽水流路３８は、配水流路９上の開閉弁１０より下流で配水流路９から分岐しており、開閉弁３９（開閉弁Ｆ）を有する。処理水タンク３７の下部と洗浄水タンク１５を第２の揚水流路４０で連通する。排ガス回収流路２２の開閉弁２１より上流側を、開閉弁４２（開閉弁Ｅ）を有する加圧流路４１で処理水タンク３７と連通する。加圧流路４１によって接触槽５内の気相部と処理水タンク３７の気相部を連通する。また、処理水タンク３７に開閉弁５３（開閉弁Ｊ）を介して圧縮機５２からの圧縮空気を供給する圧縮流路５４を接続する。
【００５９】
図９を用いて、懸濁物の回収作用を説明する。膜処理設備１０１の懸濁物除去運転は、第１の実施形態と同様に、余剰汚泥を含む濃縮水中の懸濁物を浮上分離する通常運転モードと、浮上分離した懸濁物を接触槽５から除去する懸濁物除去モードとからなる。懸濁物除去モードも同様に洗浄水タンク１５に洗浄水を揚水する第１工程と懸濁物３２を回収器２３で回収，除去する第２工程に分かれる。
【００６０】
通常運転モードは第１の実施形態と基本的に同様である。本実施形態では、さらに、開閉弁３９を開いている。従って、配水流路９を流れた処理水の一部は、抽水流路３８を通って処理水タンク３７に流下し、貯水される。図示しないが、好ましくは水位を計測しポンプ、弁の運転，開閉を制御する制御器によって処理水タンク３７の水位を計測し、満水且つ懸濁物３２の除去時期になった時点で開閉弁３９を閉じ、運転を懸濁物除去モードの第１工程に切り替える。
【００６１】
懸濁物除去モードの第１工程では、第１の実施形態と同様に、開閉弁１４と開閉弁１６に加えて、開閉弁１０と開閉弁２１を閉じ、さらに、開閉弁４２を開く。開閉弁３５については、第１の実施形態と同様に、余剰汚泥が接触槽５に供給される際に圧力が掛かるため開閉状態は問わない。余剰汚泥供給ポンプ３０を停止して開閉弁３５を閉じても良い。以上の弁の開閉操作によって、ノズル６からマイクロバブル２９とともに注入される濃縮水によって接触槽５内の水位が上昇し、接触槽５の上部空間が加圧される。加圧された上部空間のガスが加圧流路４１を通り、処理水タンク３７に流入し、処理水タンク３７内が加圧される。これによって，処理水タンク３７内の処理水が第２の揚水流路４０を通って、開放構造の洗浄水タンク１５に流入し貯水される。処理水タンク３７の水位を計測し、処理水タンク３７が空になった時点で、運転を懸濁物除去モードの第２工程に切り替える。洗浄水タンク１５をより高所に設置して洗浄水の散水圧力を増加する場合は、開閉弁４２を閉じ、開閉弁５３を開き、圧縮機５２を運転して処理水タンク３７内を昇圧しても良い。
【００６２】
第２工程では、第１の実施形態と同様に、第１工程の各弁の開閉状態から、開閉弁１４と開閉弁２１及び開閉弁１６を開く。また、洗浄水タンク１５を高所に設置した場合には、開閉弁５３を閉じ、圧縮機５２の運転を停止する。これによって、接触槽５内の圧力は大気圧まで低下するとともに、ノズル６から注入される濃縮水によって接触槽５内の水位が回収器２３の外周を超え、回収器２３からの懸濁物３２を含む濃縮水の接触槽５外への除去が始まる。一方、洗浄水タンク１５内の洗浄水が、第１の実施形態と同様に、図２に示すように液体ヘッダー２４に開いた散水口４３から、接触槽５の壁面に衝突し流下する。壁面を流下した洗浄水の一部は、接触槽５壁面から懸濁物３２の外周部に流れる。尚、液体ヘッダーに替えて、図７に示す第３の実施形態の噴射ノズル４７を用いても良い。
【００６３】
本実施形態でも図３（ｂ）に示したように、接触槽５の壁面から懸濁物３２、そして回収器２３に向かう洗浄水の流れが生じるため、洗浄水による壁面から回収器２３への押し出しで、懸濁物３２の回収が促進され、懸濁物３２の除去時間が大幅に短縮される。また、洗浄水タンク１５をより高所に設置して洗浄水の散水圧力を増加する場合、接触槽５の耐圧を高めるため構造を強化する必要があるが、本実施形態では処理水タンク３７のみを強化すれば良い。また、圧縮機５２の設備コストとその運転コストが掛かるものの、揚水ポンプを用いて洗浄水の揚水する場合に比べて、本実施形態での運転コストは低い。即ち、低コストで懸濁物を効率的に除去できる。
【００６４】
その結果、懸濁物３２を回収器２３から接触槽５外に除去する時間が短縮され、回収器２３から懸濁物３２に同伴して排出される水量が減少する。これによって、回収された懸濁物３２の含水率が減少し、回収した懸濁物３２が形成する余剰汚泥の濃縮，脱水，乾燥に要する動力や電力を低減できる。また、懸濁物３２に同伴して排出される水量の減少は、接触槽から配水される処理水の水量増加に繋がり、処理水を再生利用する場合の処理水回収率を増加できる。
【００６５】
回収器２３から接触槽５外への懸濁物３２の除去の後、通常運転モードに復帰するため、開閉弁１４と開閉弁１６及び開閉弁４２を閉じ、開閉弁１０を開く。懸濁物除去モード第１工程で開閉弁３５を閉じ余剰汚泥供給ポンプ３０を停止した場合は、通常運転モードへの復帰時に開閉弁３５を開き、余剰汚泥供給ポンプ３０を起動する。また、開閉弁３９を開き、処理水タンク３７への貯水を開始する。
【００６６】
本実施形態によれば、第１の実施形態における効果に加えて、接触槽の構造を強化することなく散水圧力を高められるので、懸濁物の分離除去をさらに促進できる効果がある。
【００６７】
尚、本実施形態では、処理水タンクに一旦貯水し、高所に設置した洗浄水タンクに移送しているが、処理水タンクの位置を接触槽の水面近傍の位置に設ければ、処理水を液体ヘッダーに供給するポンプ動力も小さくて済むことから、洗浄水タンクを省略し、処理水タンクからポンプを用いて液体ヘッダーに処理水を直接供給することも考えられる。
これを参考例として纏めると次のように纏めることができる。
気密構造を有する接触槽と、前記接触槽の水位より下方に被処理水を圧送する供給手段と、前記供給手段で圧送する被処理水中に原料ガスのマイクロバブルを生成するマイクロバブル生成装置と、前記接触槽内に上方に開口した開口部が配置され前記接触槽に供給された被処理水に同伴するマイクロバブルによって浮上分離した懸濁物を捕集する回収器と、前記回収器から懸濁物を排出する排出流路と、前記排出流路に設けられた開閉弁Ａと、前記接触槽から処理水を配水する配水流路と、前記配水流路に設けられた開閉弁Ｂと、前記配水流路より下方に設けた処理水タンクと、前記開閉弁Ｂより下流の前記配水流路と前
記処理水タンクを連通する抽水流路と、前記抽水流路に設けられた開閉弁Ｆと、前記回収器の開口部より上方に設置された散水口を有し前記散水口からの散水によって前記懸濁物が前記回収器に向かう流れが誘起されるようにした液体ヘッダーと、前記液体ヘッダーと前記処理水タンクを連通する洗浄水流路と、前記洗浄水流路に設けられたポンプとを有する液体処理装置。
【００６８】
上述の各実施形態では、本発明をＭＢＲとＲＯ膜ろ過を組合せ、オゾンマイクロバルブでＲＯ濃縮水を処理する下排水膜処理設備に適用した液体処理装置について説明したが、本発明はこれに限定されるものではない。例えば、高圧下で空気を溶解させた加圧水を被処理水とともに接触槽の下部に供給し、加圧水から生じた気泡に被処理水中に含まれる懸濁物質を付着させて浮上分離する液体処理装置にも適用できる。
【符号の説明】
【００６９】
１      ＲＯ膜処理装置
２      高圧ポンプ（ポンプ）
３      オゾン混合器（ガス混合器）
４      溶解水槽
５      接触槽
６      ノズル
７      オゾン発生装置
８      エアベント
９      配水流路
１０    開閉弁（開閉弁Ｂ）
１１    濃縮水流路
１２    気相流路
１３    排出流路
１４    開閉弁（開閉弁Ａ）
１５    洗浄水タンク
１６    開閉弁（開閉弁Ｃ）
１７    洗浄水流路
１８    再生水流路
１９    揚水流路
２０    排ガス処理装置
２１    開閉弁（開閉弁Ｄ）
２２    排ガス処理流路
２３    回収器
２４    液体ヘッダー
２５    最初沈殿池
２９    マイクロバブル
３０    余剰汚泥供給ポンプ
３１    余剰汚泥流路
３２    懸濁物
３３    精密ろ過膜
３４    生物膜反応槽
３５    開閉弁（開閉弁Ｇ）
３６    仕切板
３７    処理水タンク
３８    抽水流路
３９    開閉弁（開閉弁Ｆ）
４０    第２の揚水流路
４１    加圧流路
４２    開閉弁（開閉弁Ｅ）
４３    散水口
４４    整流板
４５    光源
４６    光検出装置
４７    噴射ノズル
４８    開閉弁（開閉弁Ｈ）
４９    洗浄水流路
５０    送風機
５１    ガスノズル
５２    圧縮機
５３    開閉弁（開閉弁Ｊ）
５４    圧縮流路
１００  膜処理設備
１０１  膜処理設備
【図１】
0005558421.tif 000002
【図２（ａ）】
0005558421.tif 000003
【図２（ｂ）】
0005558421.tif 000004
【図３（ａ）】
0005558421.tif 000005
【図３（ｂ）】
0005558421.tif 000006
【図４】
0005558421.tif 000007
【図５】
0005558421.tif 000008
【図６】
0005558421.tif 000009
【図７】
0005558421.tif 000010
【図８】
0005558421.tif 000011
【図９】
0005558421.tif 000012